(57)【特許請求の範囲】
【請求項１】
受信データの配信先を決定するとともに、決定した配信先に受信データを配信するＦＡＸサーバにおいて、受信データの配信先を決定できない場合は、通信ネットワーク内の他のサーバを検索する制御手段を備えたＦＡＸサーバ。
【請求項２】
請求項１に記載のＦＡＸサーバにおいて、前記制御手段は、前記通信ネットワーク内の他のサーバを検索した結果、配信可能なサーバがある場合に、そのサーバに対して前記受信データを転送するＦＡＸサーバ。
【請求項３】
請求項２に記載のＦＡＸサーバにおいて、前記制御手段は、受信データを前記所定のサーバに転送する際に、該受信データとともに受信データの配信先を決定するための配信先決定条件を前記所定のサーバに転送するＦＡＸサーバ。
【請求項４】
請求項１〜請求項３のうちいずれか一項に記載のＦＡＸサーバにおいて、受信データを記録紙に記録する記録手段を備え、制御手段は、受信データの配信先を決定できない場合は、受信データを記録手段で記録紙に記録させるＦＡＸサーバ。
【発明の詳細な説明】
【０００１】
【発明の属する技術分野】
本発明は、通信ネットワークへ接続されるＦＡＸサーバに関するものである。
【０００２】
【従来の技術】
近年、ＦＡＸサーバ、メールサーバ、パソコン等を通信ネットワークを用いて相互に接続した通信ネットワークシステムが普及しつつある。このため、通信ネットワークに接続されたＦＡＸサーバは、公衆回線網又はインターネットに接続された専用回線からの受信データを、クライアント毎に配信することができる。
【０００３】
【発明が解決しようとする課題】
しかしながら、この配信方法では、配信できない受信データは、ＦＡＸサーバに記憶されたままの状態となる。つまり、ＦＡＸサーバには、配信できない受信データが蓄積されることとなる。その結果、配信できない受信データが大量に蓄積された場合には、通信ネットワーク管理者が蓄積された受信データをどのように処理するかを判断して、適宜処理しなければならなかった。従って、このような事態が発生した場合には、受信データの管理を容易に行うことは困難であった。
【０００４】
本発明は、このような問題点に着目してなされたものであって、その目的は、他のサーバとの間の連携を柔軟に行うことにより、受信データの管理を容易に行うことが可能なＦＡＸサーバを提供することにある。
【０００６】
【課題を解決するための手段】
上記の目的を達成するために、請求項１に記載の発明では、受信データの配信先を決定するとともに、決定した配信先に受信データを配信するＦＡＸサーバにおいて、受信データの配信先を決定できない場合は、通信ネットワーク内の他のサーバを検索する制御手段を備えた。
請求項２に記載の発明では、請求項１に記載のＦＡＸサーバにおいて、前記制御手段は、前記通信ネットワーク内の他のサーバを検索した結果、配信可能なサーバがある場合に、そのサーバに対して前記受信データを転送する。
請求項３に記載の発明では、請求項２に記載のＦＡＸサーバにおいて、前記制御手段は、受信データを前記所定のサーバに転送する際に、該受信データとともに受信データの配信先を決定するための配信先決定条件を前記所定のサーバに転送する。
【０００７】
請求項４に記載の発明では、請求項１〜請求項３のうちいずれか一項に記載のＦＡＸサーバにおいて、受信データを記録紙に記録する記録手段を備え、制御手段は、受信データの配信先を決定できない場合は、受信データを記録手段で記録紙に記録させる。
【０００８】
【発明の実施の形態】
以下に、本発明に係るＦＡＸサーバの一実施形態について図面を用いて説明する。
【０００９】
図１に示すように、通信ネットワークシステムは、電話回線Ｌ１を有するＦＡＸサーバ１、専用回線Ｌ２を介してインターネットに接続されたゲートウェイ２、メールサーバ３、複数のパソコン４及び各装置１〜４間を相互に接続するハブ（ＨＵＢ）５、トランシーバ６、イーサネットケーブル７、ＡＵＩケーブル８、ツイストペアケーブル９から構成されている。
【００１０】
ＦＡＸサーバ１、ゲートウェイ２、メールサーバ３及びパソコン４は、ツイストペアケーブル９を介してハブ５に接続されている。ハブ５は、ＡＵＩケーブル８を介してトランシーバ６に接続されている。トランシーバ６は、イーサネットケーブル７を介して他のトランシーバ６と接続されている。ＦＡＸサーバ１、ゲートウェイ２、メールサーバ３及びパソコン４は、ツイストペアケーブル９に接続するためのインターフェースを内蔵している。ハブ５は、ツイストペアケーブル９とＡＵＩケーブル８とを接続するために設けられるとともに、通信ネットワークＴの接続において集線装置として機能する。トランシーバ６は、ＡＵＩケーブル８とイーサネットケーブル７とを接続するために設けられている。
【００１１】
ＦＡＸサーバ１は、メールサーバ３のクライアントとして、メールアドレスを有している。
ゲートウェイ２は、通信ネットワークＴ上以外の他の装置との間の通信を制御する通信プロトコルを備えている。また、ゲートウェイ２は、通信ネットワークＴへの不正進入を防止するためのファイアウォール機能も備えている。
【００１２】
メールサーバ３は、電子メールで使用する通信プロトコル（ＳＭＴＰ、ＰＯＰ３等）を備えている。この電子メールに画データを添付して送信すると、インターネットＦＡＸを実現することができる。メールサーバ３は、各クライアント毎のメールボックスを備えている。
【００１３】
複数のパソコン４は、パソコン４全体を制御するための制御部、各種情報を表示するためのＬＣＤ等からなる表示部、その表示部に表示された各種情報に対して指示をするとともに、所定の文字等を入力するためのキーボード及びマウス、ハードディスク等からなる記憶部等を備えている。また、複数のパソコン４は、ＦＡＸサーバ１、ゲートウェイ２、メールサーバ３及び他のパソコン４との間、並びにＦＡＸサーバ１またはメールサーバ３及びゲートウェイ２を介して外部のファクシミリ装置との間で、送受信を行うための通信プロトコルを備えている。また、複数のパソコン４は、メールサーバ３のクライアントとして、メールアドレスを有している。
【００１４】
図２に示すように、ＦＡＸサーバ１は、ファクシミリ装置本体１ａとオプションボード３０とから構成されている。
ファクシミリ装置本体１ａは、ＭＰＵ１１、ＲＯＭ１２、ＲＡＭ１３、読取部１４、記録部１５、操作部１６、表示部１７、画像メモリ１８、コーデック１９、モデム２０、ＮＣＵ２１、及びオプションボードスロット部２２から構成されるとともに、各部１１〜２２がバス２３を介してそれぞれ接続されている。
【００１５】
ＭＰＵ１１は、ＦＡＸサーバ１を構成する各部を制御する。ＲＯＭ１２は、ＦＡＸサーバ１を制御するためのプログラムを記憶する。ＲＡＭ１３は、ＦＡＸサーバ１の送受信や転送に関する各種情報を一時的に記憶する。
【００１６】
読取部１４は、原稿上の画像データを読み取って、白黒２値のイメージデータを出力する。記録部１５は、電子写真方式のプリンタよりなり、受信画データの記録動作やコピー動作において、受信された画データ或いは読取部１４にて読み取られた原稿の画データを記録紙上に記録する。
【００１７】
操作部１６は、電話番号を入力するためのテンキー（＊，＃キーを含む）１６ａ、短縮番号の登録又は短縮番号から発信するための短縮キー１６ｂ、予め登録した電話番号又はＦＡＸ番号をワンタッチで指定するためのワンタッチキー１６ｃ、原稿の読み取り動作を開始させるためのスタートキー１６ｄ、「通信（ＦＡＸ）」動作又は「コピー」動作を設定するための通信／コピーキー１６ｅ等の各種操作キーを備えている。ＬＣＤ等よりなる表示部１７は、ファクシミリ装置本体１ａの動作状態等の各種情報の表示を行う。
【００１８】
画像メモリ１８は、受信画データや読取部１４で読み取られて２値化され、コーデック１９でＭＭＲ方式に従って符号化された画データを一時的に記憶する。また、画像メモリ１８は、パソコン４からオプションボードスロット部２２を介して送出されてきた画データを一時的に記憶する。
【００１９】
コーデック１９は、読取部１４にて読み取られた画データを送信のためにＭＨ，ＭＲ，ＭＭＲ方式等に従って符号化（エンコード）する。また、コーデック１９は、受信画データを復号（デコード）する。
【００２０】
モデム２０は、ファクシミリ伝送制御手順信号及び画データの変調及び復調を行う。ＮＣＵ２１は、電話回線Ｌ１の閉結及び開放を行うとともに、相手先のＦＡＸ番号に対応したダイヤル信号の送出及び着信を検出する機能等を備えている。
【００２１】
オプションボードスロット部２２には、通信ネットワークＴに接続するためのオプションボード３０が装備される。すなわち、このオプションボード３０をオプションボードスロット部２２に装備すると、通信ネットワークＴへの接続が可能となる。
【００２２】
図３に示すように、オプションボード３０は、ＭＰＵ３１、ＲＯＭ３２、ＲＡＭ３３、画像メモリ３４、データ変換部３５、ＰＣカード用インターフェース３６、ＰＣカード型メモリ３７、通信プロトコル制御部３８及びネットワークインターフェース３９から構成されるとともに、各部３１〜３６，３８がバス４０を介してそれぞれ接続されている。
【００２３】
ＭＰＵ３１は、オプションボード３０を構成する各部を制御する。ＲＯＭ３２は、オプションボード３０を制御するためのプログラムを記憶する。ＲＡＭ３３は、オプションボード３０に関する各種情報を一時的に記憶する。画像メモリ３４は、パソコン４から送出されてくる画データを記憶する。
【００２４】
データ変換部３５は、パソコン４から通信ネットワークＴを介して送出されてくるＴＩＦＦ、ＢＭＰ、ＧＩＦ、ＪＰＥＧ、ＰＣＸ、ＤＣＸ等の画データを、ＭＨ、ＭＲ、ＭＭＲ方式やＴＩＦＦ−ＭＨ，ＴＩＦＦ−ＭＲ，ＴＩＦＦ−ＭＭＲ方式等の画データに変換する。また、これとは逆に電話回線Ｌ１を介して受信したＭＨ、ＭＲ、ＭＭＲ方式やＴＩＦＦ−ＭＨ，ＴＩＦＦ−ＭＲ，ＴＩＦＦ−ＭＭＲ方式等の画データを、複数のパソコン４にとって扱い易い形式にするために、ＴＩＦＦ、ＢＭＰ、ＧＩＦ、ＪＰＥＧ、ＰＣＸ、ＤＣＸ等の画データに変換する。
【００２５】
ＰＣカード用インターフェース３６は、ＭＰＵ３１からの制御信号に基づいて、ＰＣカードアダプタ３６ａを介してＰＣカード型メモリ３７にアクセスする。ＰＣカード型メモリ３７は、「ＰＣ  Ｃａｒｄ  Ｓｔａｎｄａｒｄ」に準拠し、例えばフラッシュメモリ（ＥＥＰＲＯＭ）で構成されている。ＰＣカード型メモリ３７は、各クライアント毎のデータ領域３７ａを備え、画像メモリ１８から転送されてくる画データやオプションボード３０を介する送受信に関するデータを記憶する。
【００２６】
通信プロトコル制御部３８は、ネットワークインターフェース３９を介して通信ネットワークＴ上の他の装置との間や、ネットワークインターフェース３９及び公衆回線網等を介して通信ネットワークＴ上以外の他の装置との間の通信を制御する通信プロトコルを備えている。具体的には、例えばＳＭＴＰ（メール送信プロトコル）、ＰＯＰ３（メール受信プロトコル）、サリュテーション（Ｓａｌｕｔａｔｉｏｎ）・コンソーシアムで規定されたサリュテーション用通信プロトコル、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ  ）等を備えている。
【００２７】
なお、本実施形態においては、メールサーバ３が受信したＦＡＸサーバ１宛の電子メールを、ＦＡＸサーバ１が所定時間毎にＰＯＰ３プロトコルを用いて受信している。
【００２８】
次に、ＦＡＸサーバ１における配信時と転送時との動作について、図４に示すフローチャートを用いて説明する。なお、この動作は、ＲＯＭ１２に記憶されたプログラムに基づき、ＭＰＵ１１の制御により実行される。
【００２９】
さて、ＦＡＸサーバ１が、公衆回線網から電話回線Ｌ１を介してファクシミリ通信による画データ、又は、インターネットから専用回線Ｌ２、ゲートウェイ２及びメールサーバ３を介してＦＡＸサーバ１宛の電子メールが受信されて、画データ又は電子メールが画像メモリ１８又はＰＣカード型メモリ３７に記憶されると、図４に示すステップＳ１においては、画像メモリ１８に記憶された画データ又はＰＣカード型メモリ３７に記憶された電子メールの配信先のクライアントが決定される。ここで、配信先決定処理としては、ＲＡＭ１３に記憶されている配信先を決定するための配信先決定条件に基づいて、画データ又は電子メールの配信先が決定される。すなわち、ファクシミリ通信による受信の場合は、配信先決定条件として発信元電話番号やＳＵＢ信号で示されるサブアドレス等に基づいて、画データの配信先決定処理が実行される。一方、電子メールの受信の場合は、配信先決定条件としてヘッダや本文中の記載事項に基づいて、電子メールの配信先決定処理が実行される。
【００３０】
ステップＳ２においては、前記ステップＳ１において、画データ又は電子メールの配信先が決定されたか否かが判断される。すなわち、ＦＡＸサーバ１が受信した画データ又は電子メールが、配信先決定条件に該当しない画データ又は電子メールが受信されることもある。そこで、画データ又は電子メールの配信先が決定されたか否かを判断しているのである。そして、画データ又は電子メールの配信先が決定された場合は、ステップＳ３に移行する。一方、画データ又は電子メールの配信先が決定されていない場合は、ステップＳ４に移行する。
【００３１】
ステップＳ３においては、前記ステップＳ１において決定された配信先への配信処理が実行される。具体的には、画像メモリ１８に記憶された画データ又はＰＣカード型メモリ３７に記憶された電子メールが、各クライアント毎のデータ領域３７ａへ配信される。このとき、ファクシミリ通信による受信画データ又は電子メールが配信された旨が、サリュテーション用通信プロトコルを用いて各クライアントのパソコン４に通知される。
【００３２】
ステップＳ４においては、ＦＡＸサーバ１に登録されているサーバがあるか否かが判断される。すなわち、ＦＡＸサーバ１が画データ又は電子メールを配信できないため、ＦＡＸサーバ１に登録されているサーバがあるか否かを判断するのである。そして、ＦＡＸサーバ１に登録されているサーバがある場合は、ステップＳ５に移行する。一方、ＦＡＸサーバ１に登録されているサーバがない場合は、ステップＳ６に移行する。
【００３３】
ステップＳ５においては、ＦＡＸサーバ１に登録されているサーバに対して、画像メモリ１８又はＰＣカード型メモリ３７に記憶された画データ又は電子メールが転送される。このとき、転送対象が画データの場合は、配信先決定条件としての発信元電話番号やＳＵＢ信号で示されるサブアドレス等が画データとともに登録されているサーバに転送される。一方、転送対象が電子メールの場合は、配信先決定条件としてのヘッダ等が本文とともに登録されているサーバに転送される。
【００３４】
ステップＳ６においては、同一セグメント内にサーバが存在するか否かが問い合わされる。具体的には、ＬＤＡＰを用いて、同一セグメント内、つまり同一通信ネットワークＴ上にサーバが存在するか否かが問い合わされる。
【００３５】
ステップＳ７においては、前記ステップＳ６における問い合わせの結果に基づいて、配信可能なサーバがあるか否かが判断される。そして、配信可能なサーバがある場合は、ステップＳ８に移行する。一方、配信可能なサーバがない場合は、ステップＳ９に移行する。
【００３６】
ステップＳ８においては、同一セグメント内の配信可能なサーバに対して、画像メモリ１８又はＰＣカード型メモリ３７に記憶された画データ又は電子メールが配信可能なサーバに転送される。このとき、転送対象が画データの場合は、配信先決定条件としての発信元電話番号やＳＵＢ信号で示されるサブアドレス等が画データとともに同一セグメント内の配信可能なサーバに転送される。一方、転送対象が電子メールの場合は、配信先決定条件としてのヘッダ等が本文とともに同一セグメント内の配信可能なサーバに転送される。
【００３７】
ステップＳ９においては、画像メモリ１８又はＰＣカード型メモリ３７に記憶された画データ又は電子メールが記録部１５で記録紙に記録される。すなわち、配信先が不明であるため、画像メモリ１８又はＰＣカード型メモリ３７に記憶された画データ又は電子メールを記録部１５で記録紙に記録するのである。なお、ファクシミリ通信による画データの場合は発信元ＦＡＸ番号に基づいて、又電子メールの場合は発信元アドレス（ｆｒｏｍアドレス）に基づいて、配信先が不明である旨を通知するために、発信側に対して返信する構成にしても良い。
【００３８】
以上、詳述したように本実施形態によれば、次のような作用、効果を得ることができる。
（１）ＦＡＸサーバ１が受信した画データ又は電子メールが、配信先決定条件に該当しない場合であって、ＦＡＸサーバ１に登録されているサーバがある場合は、そのサーバに対して画データ又は電子メールが転送される。このとき、転送対象が画データの場合は、配信先決定条件としての発信元電話番号やＳＵＢ信号で示されるサブアドレス等が画データとともに登録されているサーバに転送される。一方、転送対象が電子メールの場合は、配信先決定条件としてのヘッダ等が本文とともに登録されているサーバに転送される。その結果、登録されているサーバにおいて、画データ又は電子メールが配信先決定条件に該当する場合には、その画データ又は電子メールが該当する配信先に対して配信されることとなる。従って、他のサーバとの間の連携を柔軟に行うことにより、受信データの管理を容易に行うことができる。よって、柔軟な通信ネットワークを構築することもできる。
【００３９】
（２）加えて、ＦＡＸサーバ１にサーバが登録されていない場合であっても、同一セグメント内にサーバが存在するか否かが問い合わされる。換言すれば、同一セグメント内にサーバが存在するか否かが検索される。このため、問い合わせの結果に基づいて、配信可能なサーバがある場合には、そのサーバに対して画データ又は電子メールが転送される。このとき、転送対象が画データの場合は、配信先決定条件としての発信元電話番号やＳＵＢ信号で示されるサブアドレス等が画データとともに配信可能なサーバに転送される。一方、転送対象が電子メールの場合は、配信先決定条件としてのヘッダ等が本文とともに配信可能なサーバに転送される。その結果、配信可能なサーバにおいて、画データ又は電子メールが配信先決定条件に該当する場合には、その画データ又は電子メールが該当する配信先に対して配信されることとなる。従って、他のサーバとの間の連携を柔軟に行うことにより、受信データの管理を容易に行うことができる。
【００４０】
（３）さらに、問い合わせの結果に基づいて、配信可能なサーバがない場合、つまり配信先が不明な画データ又は電子メールである場合は、記録部１５で記録紙に記録している。このため、配信先が不明な画データ又は電子メールがＦＡＸサーバ１の画像メモリ１８又はＰＣカード型メモリ３７に蓄積されることはない。しかも、記録部１５で記録紙に記録するため、記録紙に記録された宛先に基づいて、宛先人（受信者）を容易に特定することができる。従って、通信ネットワーク管理者が画像メモリ１８又はＰＣカード型メモリ３７に蓄積された画データ又は電子メールをどのように処理するかを判断して、適宜処理する必要はない。
【００４１】
（４）併せて、ＦＡＸサーバ１にサーバが登録されていない場合であっても、同一セグメント内にサーバが存在するか否かが問い合わされる。このため、ＦＡＸサーバ１において配信先を登録できる容量が少なく、ＦＡＸサーバ１に登録されていない画データ又は電子メールを受信した場合であっても、その受信した画データ又は電子メールを確実に転送或いは記録することができる。従って、配信先の登録容量が少ないＦＡＸサーバ１に対して、有効に適用することができる。
【００４２】
なお、前記実施形態は、次のように変更して具体化することも可能である。
・前記実施形態では、ファクシミリ通信及びインターネットによる電子メールの場合について説明したが、サリュテーション用通信プロトコルを用いた配信に適用しても良い。この場合には、画データとともに、配信先決定条件としてユーザ名及び発信元ＦＡＸ番号を登録したサーバ又は配信可能なサーバに転送することは言うまでもない。
【００４３】
・前記実施形態において、ＦＡＸサーバ１から登録されているサーバに転送する場合には、その登録されているサーバの能力に合わせた画像フォーマットに変換して、登録されているサーバに画データ又は電子メールを転送する構成にしても良い。ここで、画像フォーマットとしては、符号化方式や画質等を変換することが挙げられる。
【００４４】
・加えて、画データ又は電子メールを配信先に配信する場合にも、配信先の能力に合わせて画データ又は電子メールの画像フォーマットを変換して配信するように構成しても良い。
【００４５】
・前記実施形態においては、ＬＤＡＰを用いて、同一セグメント内にサーバが存在するか否かを問い合わせたが、これに代えて、ブロードキャストを用いて、同一セグメント内にサーバが存在するか否かを問い合わせる構成にしても良い。
【００４６】
さらに、上記実施形態等より把握される請求項以外の技術的思想について、以下にそれらの効果と共に記載する。
〔１〕請求項４に記載のＦＡＸサーバにおいて、受信データを記憶する記憶手段を備え、制御手段は、受信データの配信先を決定できない場合は、受信データを記録手段で記録紙に記録させるＦＡＸサーバ。このように構成すれば、配信先が不明な受信データが記憶手段に蓄積されることはない。
【００４７】
〔２〕配信先決定条件を記憶する条件記憶手段と、その条件記憶手段に基づいて、受信データの配信先を決定するとともに、決定した配信先に受信データを配信するＦＡＸサーバにおいて、制御手段は、受信データの配信先を決定できない場合は、受信データを所定のサーバに転送するＦＡＸサーバ。このように構成すれば、他のサーバとの間の連携を柔軟に行うことにより、受信データの管理を容易に行うことができる。
【００４８】
〔３〕配信先決定条件を記憶する条件記憶手段と、その条件記憶手段に基づいて、受信データの配信先を決定するとともに、決定した配信先に受信データを配信するＦＡＸサーバにおいて、制御手段は、受信データの配信先を決定できない場合は、通信ネットワーク内の他のサーバを検索するＦＡＸサーバ。このように構成すれば、他のサーバとの間の連携を柔軟に行うことにより、受信データの管理を容易に行うことができる。
【００４９】
〔４〕請求項１〜請求項４、前記〔１〕〜〔３〕のいずれか１項に記載のＦＡＸサーバにおいて、制御手段は、配信先の能力に応じて、配信時における受信データの画像フォーマットを変換して配信先に配信するＦＡＸサーバ。このように構成すれば、配信先の能力に応じて受信データを配信することができる。従って、受信データが配信先において受信不能になることを防止することができる。
【００５０】
〔５〕受信データの配信先を決定するとともに、決定した配信先に受信データを配信するＦＡＸサーバにおける記録媒体において、コンピュータに、受信データの配信先を決定できない場合は、受信データを所定のサーバに転送することを、実行させるためのプログラムを記録した記録媒体。このように構成すれば、他のサーバとの間の連携を柔軟に行うことにより、受信データの管理を容易に行うことが可能な記録媒体を提供することができる。
【００５１】
〔６〕受信データの配信先を決定するとともに、決定した配信先に受信データを配信するＦＡＸサーバにおける記録媒体において、コンピュータに、受信データの配信先を決定できない場合は、通信ネットワーク内の他のサーバを検索することを、実行させるためのプログラムを記録した記録媒体。このように構成すれば、他のサーバとの間の連携を柔軟に行うことにより、受信データの管理を容易に行うことが可能な記録媒体を提供することができる。
【００５２】
【発明の効果】
本発明は、以上のように構成されているため、次のような効果を奏する。
各請求項に記載の発明によれば、他のサーバとの間の連携を柔軟に行うことにより、受信データの管理を容易に行うことができる。
【００５３】
特に、請求項４に記載の発明によれば、配信先が不明な受信データが蓄積されることはない。
【図面の簡単な説明】
【図１】通信ネットワークシステムの構成を示すブロック図。
【図２】ＦＡＸサーバの構成を示すブロック図。
【図３】オプションボードの構成を示すブロック図。
【図４】配信時と転送時との動作を示すフローチャート。
【符号の説明】
１…ＦＡＸサーバ、１１…制御手段を構成するＭＰＵ、１２…制御手段を構成するＲＯＭ、１３…制御手段及び条件記憶手段を構成するＲＡＭ、１５…記録手段としての記録部、１８…記憶手段としての画像メモリ、３７…記憶手段としてのＰＣカード型メモリ、Ｔ…通信ネットワーク。
【図１】
0003613154.tif 000002
【図２】
0003613154.tif 000003
【図３】
0003613154.tif 000004
【図４】
0003613154.tif 000005